(57)【要約】【課題】入賞装置を備えたパチンコ機における遊技盤裏側の構成を簡素化し、設計の自由度を確保するとともに不正行為がなされ難いパチンコ機を提供する。【解決手段】遊技盤の遊技領域に打ち出された球が遊技盤面上に設けられた入賞領域内へ進入することを許容又は困難とする開閉体と、入賞領域内に配設され、開閉体により進入が許容された球を取り込み、取り込んだ球を入賞領域外に排出する特定領域と、特定領域に取り込まれない球を取り込み、取り込んだ球を入賞領域外に排出する外れ領域とを有する入賞装置を備え、入賞領域が、遊技盤面に打ち込まれて遊技領域を内外に区画する複数の釘により形成された。【選択図】図１
2013059543.tif 000002
【特許請求の範囲】
【請求項１】
遊技盤の遊技領域に打ち出された球が遊技盤面上に設けられた入賞領域内へ進入することを許容又は困難とする開閉体と、
前記入賞領域内に配設され、前記開閉体により進入が許容された球を取り込み、取り込んだ球を入賞領域外に排出する特定領域と、
前記特定領域に取り込まれない球を取り込み、取り込んだ球を入賞領域外に排出する外れ領域と、
を有する入賞装置を備えた遊技機であって、
前記入賞領域が、遊技盤面に打ち込まれて前記遊技領域を内外に区画する複数の釘により形成されたことを特徴とする遊技機。
【請求項２】
前記入賞領域内における前記遊技盤面に形成され、前記開閉体により進入が許容された球を下流側に配設された前記特定領域又は外れ領域まで流下させる複数の誘導路を更に備えたことを特徴とする請求項１記載の遊技機。
【請求項３】
前記誘導路が前記遊技盤面に打ち込まれた複数の釘により形成されたことを特徴とする請求項２記載の遊技機。
【請求項４】
前記誘導路が前記遊技盤面上に取り付けられ、遊技盤の前方に突出する板体により形成されたことを特徴とする請求項２記載の遊技機。
【請求項５】
前記外れ領域を前記入賞領域の上下方向に沿って延長する同一直線上に複数設け、
当該外れ領域に取り込まれた球を前記遊技盤の裏面に配設され、遊技盤の上下方向に沿って延長する単一の排出通路より排出することを特徴とする請求項１乃至請求項４記載の遊技機。
【発明の詳細な説明】
【技術分野】
【０００１】
本発明は、遊技機に配設される入賞装置に関し、特に遊技機の遊技領域内に配設され、内部に特定領域を有する入賞装置を備えた遊技機の構造に関する。
【背景技術】
【０００２】
従来、遊技機の一例としてのパチンコ遊技機として、入賞装置（役物）の内部に形成された特別領域に球が取り込まれたことに基づいて遊技者にとって有利な遊技状態である所謂大当りを付与する形態のパチンコ機が知られている。
上記入賞装置の基本的構成としては、概略、遊技領域内に打ち出されたパチンコ球（以下、球という）を受け入れ可能な入賞空間を備えた筐体と、筐体内への球の進入を許容又は阻止する例えば一対の羽根体からなる可変部材と、筐体内に配設された誘導部材や振り分け部材等によって構成され、進入が許容された球を下流側に誘導する球誘導ルートと、球誘導ルートの下流側に設けられた特定領域及び特定領域以外の外れ領域とを備える。
入賞空間を備えた筐体は、例えばベニヤ等の合板によって形成された遊技盤に開設された前後方向に貫通する取り付け開口部内に挿入された状態で遊技盤に対して取り付けられ、筐体内に進入した球は、遊技盤の前方から裏側まで延在する入賞空間内を左右方向或いは前後方向に転動しながら最終的に下流側に設けられた特定領域又は外れ領域内に取り込まれることとなる。
【先行技術文献】
【特許文献】
【０００３】
【特許文献１】特開２００３−１８０９９９号公報
【０００４】
しかしながら、上述のパチンコ機は、入賞空間を有する筐体が遊技盤を貫通し、遊技盤の裏側において後方に突出して配設される構成であるため、入賞空間の大きさに対応して遊技盤裏面におけるスペースが狭まり、可変部材や振り分け部材の駆動源となるソレノイドの配置や、該ソレノイドの駆動回路基板の配置が複雑化し、設計の自由度が狭まるとともに、遊技盤の裏側に配設される上記各部材に対して不正行為がされ易くなるという問題が生じる。
【発明の概要】
【発明が解決しようとする課題】
【０００５】
本発明は上記課題を解決すべく、入賞装置を備えたパチンコ機における遊技盤裏側の構成を簡素化、或いは、省スペース化し、設計の自由度を確保するとともに不正行為がなされ難いパチンコ機を提供する。
【課題を解決するための手段】
【０００６】
上記課題を解決するための遊技機の構成として、遊技盤の遊技領域に打ち出された球が遊技盤面上に設けられた入賞領域内へ進入することを許容又は困難とする開閉体と、入賞領域内に配設され、開閉体により進入が許容された球を取り込み、取り込んだ球を入賞領域外に排出する特定領域と、特定領域に取り込まれない球を取り込み、取り込んだ球を入賞領域外に排出する外れ領域とを有する入賞装置を備え、入賞領域が、遊技盤面に打ち込まれて遊技領域を内外に区画する複数の釘により形成された構成とした。
本構成によれば、入賞装置における遊技盤面上に設けられた入賞領域が、遊技盤面に打ち込まれて遊技領域を内外に区画する複数の釘により形成されたことにより、開閉体により進入が許容された球は、入賞領域に進入してから特定領域又は外れ領域に到達するまでに遊技盤面よりも裏側（後方）に転動することがない。
即ち、入賞装置の入賞領域が、遊技盤面の前方にのみ形成されたことにより、より詳細には入賞領域を形成する部材が遊技盤の裏側に突出することがないため、遊技盤の裏側に入賞領域の大きさに相当するスペースが必要なくなり、遊技盤裏側の部品配置を簡略化することができ、設計の自由度を確保し、かつ、不正行為が行われることを防止できる。
また、遊技機の他の構成として、入賞領域内における遊技盤面に形成され、開閉体により進入が許容された球を下流側に配設された特定領域又は外れ領域まで流下させる複数の誘導路を備えた構成とした。
本構成においても、複数の誘導路が入賞領域内における遊技盤面に形成されているため、遊技盤の裏側に誘導路を形成する部材が突出することがなくなり、上記構成から生じる効果を維持しつつ、入賞領域内に進入した球の動きに変化を付与することが可能となる。
また、誘導路は、遊技盤面に打ち込まれた複数の釘や、遊技盤面上に取り付けられ、遊技盤の前方に突出する板体により形成することが好適である。
また、遊技機の他の構成として、外れ領域を入賞領域の上下方向に沿って延長する同一直線上に複数設け、当該外れ領域に取り込まれた球を、遊技盤の裏面に配設され、遊技盤の上下方向に沿って延長する単一の排出通路より排出する構成とした。
本構成によれば、外れ領域を入賞領域の上下方向に沿って延長する同一直線上に複数し、外れ領域に取り込まれた球を、遊技盤の裏面に配設され、遊技盤の上下方向に沿って延長する単一の排出通路より排出する構成としたことから、遊技盤裏側における排出通路が占める割合を最小化することが可能となり、遊技盤裏側におけるスペースを一層確保することが可能となる。
なお、上記発明の概要は、本発明の必要な特徴の全てを列挙したものではなく、これらの特徴群のサブコンビネーションもまた、発明となり得る。
【図面の簡単な説明】
【０００７】
【図１】パチンコ機の概略正面図である。
【図２】排出通路の断面図である。
【図３】パチンコ機の制御ブロック図である。
【図４】入賞装置の他の実施形態を示す拡大正面図である。
【図５】入賞装置の他の実施形態を示す拡大正面図である。
【図６】入賞装置の他の実施形態を示す拡大正面図である。
【発明を実施するための形態】
【０００８】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【０００９】
図１は、入賞装置５０が配置された遊技機の一例としてのパチンコ遊技機１（以下、パチンコ機１という）の概略正面図である。同図に基づいてパチンコ機１の構成を概説する。パチンコ機１は、遊技球（以下、単に球という）が打ち出される遊技領域１１を有し、内枠２に対して着脱自在に取り付けられる遊技盤１０と、内枠２を前後方向に開閉自在に軸支する外枠３とを備える。遊技盤１０の前方には、内枠２の前後方向に開閉自在に軸支される窓２Ａが設けられ、遊技盤１０の前方が閉鎖される。また、パチンコ機１の下部には発射ハンドル１２が回動自在に取着され、発射ハンドル１２が遊技者の操作によって例えば時計周りに回動操作されることにより、内部に設けられた打ち出し機構１３が駆動する。
【００１０】
打ち出し機構１３が駆動すると、上皿構造体１４内に貯留された球が遊技盤１０の盤面上に配設された内ガイドレール１５及び外ガイドレール１６の間の発射通路１７を通って上方に打ち出され、内ガイドレール１５の端部に設けられた弁体１５Ａを押し開けて遊技盤１０の遊技領域１１内に進入する。つまり、遊技盤１０の遊技領域１１とは、内ガイドレール１５及び外ガイドレール１６に囲繞された領域であって、発射通路１７よりも内側の領域である。
【００１１】
内枠２の周囲には、スピーカ２０やＬＥＤ等の装飾ランプ群２２が配設される。スピーカ２０及び装飾ランプ群２２は、遊技における演出効果を高めるための部材であって、後述の主制御装置１００により遊技の進行に沿って制御される。
【００１２】
次に、遊技盤１０の表面（盤面）上に配設される各種の遊技部品について説明する。遊技盤１０には、遊技盤１０の略中央に配設される入賞装置５０を中心として、入賞装置５０の両側部に配設された複数の第一始動部品３０、入賞装置５０の下方に配設され、遊技盤１０の略中央に位置する第二始動部品３５、及び、遊技盤１０の最下方に配設され、入賞装置５０、第一始動部品３０、第二始動部品３５いずれの遊技部品にも取り込まれなかった球を回収するアウト口３８が設けられる。なお、図示は省略するが、遊技盤１０の遊技盤面にはこの他、遊技領域１１に打ち出された球を左右方向に導きながら流下させる多数の誘導釘や、風車等の遊技部品が配設されており、遊技領域１１内に打ち出された球は、多数の誘導釘や風車に誘導されることにより、その流下過程において上述の遊技部品に取り込まれる。
【００１３】
複数の第一始動部品３０は、遊技盤１０の遊技盤面より前方に突出し、上方開口の取り込み口３０Ａを有する取り付け基部３２により構成される。取り込み口３０Ａは、球の直径よりも僅かに大径な開口であって、当該取り込み口３０Ａ内に取り込まれた球は、取り付け基部３２の内部又は遊技盤１０の裏側に形成された図外の排出通路上に設けられた後述の第一検出センサー１００Ａ；１００Ｂによってそれぞれ検出された後にパチンコ機１の外部に排出される。
【００１４】
第二始動部品３５は、前記第一始動部品３０と同様に、遊技盤１０の遊技盤面より前方に突出し、上方開口の取り込み口３５Ａを有する取り付け基部３７により構成される。取り込み口３５Ａは、球の直径よりも僅かに大径な開口であって、当該取り込み口３５Ａ内に取り込まれた球は、取り付け基部３７の内部又は遊技盤１０の裏側に形成された図外の排出通路に設けられた後述の第二検出センサー１０５によって検出された後、パチンコ機１の外部に排出される。なお、詳細は後述するが、球が複数の第一始動部品３０又は第二始動部品３５に取り込まれ、各検出センサー１００Ａ，１００Ｂ及び１０５によって検出されると、入賞装置５０が備える開閉体５２が、例えば１回又は２回だけ開放状態となり、遊技領域１１に打ち出された球が入賞装置５０内に進入する機会が付与される。
【００１５】
入賞装置５０は、遊技盤１０の盤面上に打ち込まれた複数の釘によって形成された入賞領域５０Ａと、入賞領域５０Ａの上部に配設され、遊技領域１１内に打ち出された球の入賞領域５０Ａ内への進入を阻止又は許容する開閉体５２と、入賞領域５０Ａ内に設けられた複数の特定領域６０Ａ乃至６０Ｃ、及び、複数の非特定領域（外れ領域）８０Ａ；８０Ｂとを備える。以下、入賞装置５０の構成について順を追って説明する。
【００１６】
本実施形態に係る入賞装置５０の入賞領域５０Ａは、遊技盤１０の盤面上に打ち込まれた複数の釘によって形成される。複数の釘は、遊技盤１０の中央方向から外側方向に向かって下傾して延在する第一釘群４０Ａ；４０Ａと、第一釘群４０Ａ；４０Ａの最外に位置する釘と接続し、遊技盤１０の垂直方向に延在する第二釘群４０Ｂ；４０Ｂと、第二釘群４０Ｂ；４０Ｂの最下部に位置する釘と接続し、遊技盤１０の外側方向から中央方向に向かって下傾して延在する第三釘群４０Ｃ；４０Ｃとからなり、入賞領域５０Ａを正面視略六角形の形状として形成する。
【００１７】
また、各釘群４０Ａ乃至４０Ｃを構成する複数の釘は、その間隔が球１個分の直径よりも狭い間隔で打ち込まれており、遊技領域１１に打ち出された球が、各釘の間から入賞領域５０Ａ内に進入することが不可能とされる。また、窓２Ａが閉じられた状態において、各釘群４０Ａ乃至４０Ｃを構成する複数の釘の頭部と窓２Ａの間隔は、前記同様、球１個分の直径よりも狭い間隔で打ち込まれており、遊技領域１１に打ち出された球が、各釘群４０Ａ乃至４０Ｃの前方を通過することはできず、入賞領域５０Ａ内に進入することが不可能とされる。また、各釘群４０Ａ乃至４０Ｃを構成する複数の釘の先端部は、遊技盤１０の厚さ内で終端しており、先端部が遊技盤１０の裏側に突出することはない。
つまり、本実施形態に係る入賞領域５０Ａは、遊技盤１０の盤面に打ち込まれ、遊技領域１１を内外に区画する複数の釘により形成されており、遊技領域１１における複数の釘（釘群４０Ａ乃至４０Ｃ）の内側の領域が入賞装置５０の入賞領域５０Ａとして形成される。
【００１８】
入賞領域５０Ａを形成する釘群４０Ａ；４０Ａの間には、開閉体５２が配設される。開閉体５２は、釘群４０Ａ；４０Ａの最内に位置する釘の間に配設された遊技部品であって、遊技領域１１に打ち出された球の入賞領域５０Ａ内への進入を許容又は困難な状態とする。
詳細には、開閉体５２は、一対の羽根部５２Ａ；５２Ａを有しており、羽根部５２Ａ；５２Ａは遊技盤１０の裏側に配設された後述のソレノイド１２０の動作により、実線で示す直立状態（閉鎖状態）と、上端部が遊技盤１０の外側に傾斜した仮想線で示す傾斜状態（開放状態）との２つの状態をとり得る部品である。また、一対の羽根部５２Ａ；５２Ａの上方には、開閉体５２が閉鎖状態である場合における球の進入を阻止する釘群５３が遊技盤１０の盤面上に打ち込まれる。釘群５３は、遊技盤１０の中央部から外側方向に下傾して延在し、最外に位置する釘５３Ａ；５３Ａと、閉鎖状態にある羽根部５２Ａ；５２Ａとの間隔が球１個分の直径よりも狭くなるように配置される。また、釘群５３を構成する複数の釘の間隔も同様に球１個分の直径よりも狭くなるように打ち込まれる。つまり、開閉体５２が閉鎖状態である場合、遊技領域１１内に打ち出された球は、開閉体５２が閉鎖状態であることにより、入賞領域５０Ａへの進入が阻止され、入賞領域５０Ａ内に進入することなく遊技領域１１を流下する。なお、本実施形態においては、開閉体５２が閉鎖状態である場合に入賞領域５０Ａへの進入を阻止するものとしたが、釘の間隔等を調整することにより、進入する可能性を僅かに残しておき、入賞を限りなく困難な形態としてもよい。
【００１９】
釘群５３の釘５３Ａ；５３Ａの外側には、球１個分の直径よりも広い間隔を持って遊技盤１０の盤面に打ち込まれる釘５４；５４が配置される。釘５４；５４は、開放状態にある羽根部５２Ａ；５２Ａの先端部と近接する位置に設けられた釘である。つまり、開閉体５２が開放状態である場合、遊技領域１１内に打ち出された球は、開閉体５２が開放状態であることにより、入賞領域５０Ａへの進入が許容され、入賞領域５０Ａ内に進入した球は、入賞領域５０Ａ内を流下する。
【００２０】
次に、入賞領域５０Ａ内に配設された部品について説明する。入賞領域５０Ａ内には、入賞検出部６０、振り分け部６２、誘導通路６３、複数の特定領域６０Ａ乃至６０Ｃ及び複数の非特定領域８０Ａ；８０Ｂが設けられる。入賞検出部６０は、前記開閉体５２の直下に配設される上下開口の通過型のチャッカーであって、内部に後述の入賞検出センサー１０７が設けられる。開閉体５２によって進入が許容された球は、全て入賞検出部６０を通過することにより入賞検出センサー１０７によって検出され、入賞領域５０Ａ内に進入（入賞）したことに対する対価としての賞球が払い出される。
【００２１】
入賞検出部６０の直下には、振り分け部６２が配設される。振り分け部６２は、一対の橋体６２Ａ；６２Ａにより構成される。橋体６２Ａ；６２Ａは非駆動時において遊技盤１０の側方に延在する板体であって、開閉体５２と同様に遊技盤１０の裏側に配設された後述のソレノイド１３０の駆動により、仮想線Ｌ１，Ｌ２で示す２つの状態に変位する。
仮想線Ｌ１で示す振り分け部６２は、橋体６２Ａ；６２Ａが遊技盤１０の外側から中央に向かって下傾した状態であって、入賞検出部６０を通過した球を下方に配設された非特定領域８０Ａの方向へ誘導する。一方、仮想線Ｌ２で示す振り分け部６２は、橋体６２Ａ；６２Ａが遊技盤１０の中央から外側に向かって下傾した状態であって、入賞検出部６０を通過した球を誘導通路６３の方向へ誘導する。このように、振り分け部６２は、入賞領域５０Ａ内に進入し、入賞検出部６０によって検出された球を非特定領域８０Ａ又は誘導通路６３に振り分ける機能を有しており、所定の間隔で傾斜方向が切り替えられることにより、球の流下方向を変更する部材である。
【００２２】
誘導通路６３は、遊技盤１０の盤面から前方に向かって立ち上がる複数の板体６５Ａにより形成される。板体６５Ａは、例えば合成樹脂からなる薄板状であって、遊技盤１０の盤面と接する先端面が接着剤や図外の固定手段により固定され、前方に突出する先端部が窓２Ａの表面と対向する。また、誘導通路６３には、複数の流路Ｒ１乃至流路Ｒ４が形成される。
【００２３】
流路Ｒ１；Ｒ２は、誘導通路６３の一方の側に形成される流路であって、一方の橋体６２Ａが仮想線Ｌ２で示す状態となった場合に球が誘導される流路である。流路Ｒ１；Ｒ２が左右方向に分岐する部分には、遊技盤１０の盤面上に風車等の誘導部品が配設されており、当該誘導部品によって球が流路Ｒ１又は流路Ｒ２に振り分けられる。流路Ｒ１側に振り分けられた球は、略Ｌ字状に延在する流路Ｒ１に沿って流下し、球の勢いに応じて例えば矢印で示す二方向に排出される。流路Ｒ２に振り分けられた球は、さらに分岐する流路の上流側に配設された誘導部材によって、いずれかの流路に振り分けられ、一方の流路に振り分けられた球が特定領域６０Ａに取り込まれ、他方の流路に振り分けられた球が矢印で示す方向に排出される。
【００２４】
流路Ｒ３；Ｒ４は、誘導通路６３の他方の側に形成される流路であって、他方の橋体６２Ａが仮想線Ｌ２で示す状態となった場合に球が誘導される流路である。流路Ｒ３；Ｒ４が側方に分岐する部分には、前記同様、遊技盤１０の盤面上に風車等の誘導部品が配設されており、当該誘導部品によって球が流路Ｒ３又は流路Ｒ４に振り分けられる。流路Ｒ３側に振り分けられた球は、略垂直状に延在する流路Ｒ３に沿って流下し、矢印で示す方向に排出される。流路Ｒ４に振り分けられた球は、さらに分岐する流路の上流側に配設された誘導部材によって、いずれかの流路に振り分けられ、一方の流路に振り分けられた球が特定領域６０Ｃに取り込まれ、他方の流路に振り分けられた球が矢印で示す方向に排出される。
【００２５】
次に、特定領域６０Ａ乃至６０Ｃについて説明する。特定領域６０Ａ乃至６０Ｃは、前述の第一始動部品３０及び第二始動部品３５と同様に、球の直径よりも僅かに大径な上方開口の取り込み口を有する取り付け基体により構成され、遊技盤１０の盤面上に接着剤等の固定手段により固定されている。
【００２６】
特定領域６０Ａは、流路Ｒ２上で分岐する一方の流路の下流側に配設され、当該特定領域６０Ａに取り込まれた球は、取り付け基体の内部に設けられた後述の大当り検出センサー１１０Ａによって検出された後にパチンコ機１の外部に排出される。特定領域６０Ｂは、流路Ｒ２上で分岐する他方の流路の下方に配設され、当該特定領域６０Ｂに取り込まれた球は、取り付け基体の内部に設けられた大当り検出センサー１１０Ｂによって検出された後にパチンコ機１の外部に排出される。特定領域６０Ｃは、流路Ｒ４上で分岐する他方の流路の下流側に配設され、当該特定領域６０Ｃに取り込まれた球は、取り付け基体の内部に設けられた大当り検出センサー１１０Ｃによって検出された後にパチンコ機１の外部に排出される。なお、球が特定領域６０Ａ乃至６０Ｃ内に取り込まれたことによって実行される大当り遊技の詳細については後述する。
【００２７】
入賞領域５０Ａ内に進入し、かつ、特定領域６０Ａ乃至６０Ｃ内に取り込まれなかった球は、特定領域６０Ａ乃至６０Ｃ以外に設けられた非特定領域８０Ａ又は８０Ｂに取り込まれる。非特定領域８０Ａ；８０Ｂは、前記特定領域６０Ａ乃至６０Ｃと同様に、上方が開口した取り込み口を有する取り付け基体により構成される。当該非特定領域８０Ａ又は８０Ｂに取り込まれた球は、遊技盤１０の裏側に配設された単一の排出通路７０上に設けられた後述の排出検出センサー１１５によって検出された後にパチンコ機１の外部に排出される。
非特定領域８０Ａは、非特定領域８０Ｂの鉛直線上に配置され、かつ、誘導通路６３の一方側と他方側との間に配設される。また、非特定領域８０Ａは、橋体６２Ａ；６２ＡがＬ１で示す状態となったときの中央直下に位置しており、橋体６２Ａ；６２ＡがＬ１で示す状態であるときに入賞領域５０Ａ内に進入した球を全て受け入れ可能に設けられる。
つまり、橋体６２Ａ；６２ＡがＬ１で示す状態であるときに入賞領域５０Ａ内に進入した球は、誘導通路６３に誘導されることなく、非特定領域８０Ａによって取り込まれる。
非特定領域８０Ｂは、入賞領域５０Ａ内における最も下流側に位置し、誘導通路６３内に進入し、かつ、いずれの特定領域６０Ａ；６０Ｂ；６０Ｃにも取り込まれなかった全ての球を取り込み可能に設けられる。
【００２８】
以上のとおり、本実施形態に係る入賞領域５０Ａ内には、特定領域６０Ａ乃至６０Ｃと、非特定領域８０Ａ；８０Ｂとの複数の領域が設けられており、入賞領域５０Ａ内に進入した球は、上記いずれかの領域に取り込まれた後に、入賞領域５０Ａより排出される。また、入賞領域５０Ａは、上述のとおり、遊技盤１０の盤面と遊技領域１１を内外に区画する釘群４０Ａ乃至４０Ｃによって形成されているため、開閉体５２を経て入賞領域５０Ａ内に進入した球は、遊技盤１０の盤面よりも後方に向かって転動することなく上記各領域に取り込まれることとなる。つまり、本実施形態における入賞領域５０Ａは、遊技盤１０の盤面上、より詳細には盤面より前方の空間内に形成されているため、従来のパチンコ機における入賞領域と比較して、遊技盤１０の裏側に入賞領域を形成するための部材等が突出することがなくなり、遊技盤１０の裏側を省スペース化することが可能となる。
【００２９】
次に、図２を参照して遊技盤１０の裏側に配設された排出通路７０の構成について説明する。図２は、図１のＡ−Ａ断面図である。同図に示すように排出通路７０は、遊技盤１０の裏面に対して取り付けられるアクリル等の樹脂により成形された流路であって、本実施形態においては、単一の排出通路７０により、特定領域６０Ｂ、非特定領域８０Ａ及び８０Ｂに取り込まれた球を一括して下流側に誘導する。また、排出通路７０の下流側には、図外の集合樋が設けられており、排出通路７０を経た球は、集合樋に集められた後にパチンコ機１の外部に排出される。
また、排出通路７０の内部には、特定領域６０Ｂと対応する位置に、特定領域６０Ｂに取り込まれた球を検出する大当り検出センサー１１０Ｂが取り付け部を介して設けられ、該大当り検出センサー１１０Ｂによって球が特定領域６０Ｂに取り込まれたことが検出される。また、排出通路７０には、非特定領域８０Ｂよりも下流側の位置に、排出通路７０を流下する球、即ち、特定領域６０Ｂ、非特定領域８０Ａ；８０Ｂに取り込まれた球を検出する排出検出センサー１１５が取り付け部を介して設けられ、該排出検出センサー１１５によって球が入賞領域５０Ａ内から排出されたことが検出される。
さらに排出通路７０における排出検出センサー１１５よりも上流側には、特定領域６０Ａ；６０Ｃに取り込まれ、対応する大当り検出センサー１１０Ａ；１１０Ｃによって検出された球が合流する合流部が設けられる。つまり、排出検出センサー１１５は、入賞領域５０Ａに進入した全ての球を検出可能に設けられる。
【００３０】
以上のとおり、本実施形態における排出通路７０は、互いに円直線上に位置する非特定領域８０Ａ；８０Ｂと対応するように垂直方向に延在しているため、複数の領域が存在する場合であっても少ないスペースで入賞領域５０Ａから誘導された球を速やかに排出することが可能となる。
【００３１】
以下、図１，図３を参照してパチンコ機１の遊技の流れについて概説する。図３は、パチンコ機１の制御ブロック図である。当該ブロック図は、後述する他の実施形態においても共通するものである。同図に示すように、パチンコ機１は、遊技全般を制御する主制御装置１００と、主制御装置１００から出力される演出コマンドに基づいてスピーカ２０や装飾ランプ群２２等を駆動制御する演出制御装置２００、賞球の払出し動作を実行する払出制御装置３００及び球の打ち出し動作を制御する球発射制御装置４００とを備える。
主制御装置１００及び演出制御装置２００は、演算手段としてのＣＰＵや、ＣＰＵを動作させる制御プログラムが格納されたＲＯＭや、ＣＰＵの動作に必要なデータ等を一時的に記憶可能なＲＡＭ等の記憶手段、及び、外部機器との通信を可能とする入出力インターフェース等の通信手段とを有しており、入力側に接続された各センサーからの入力に基づき、出力側に接続された機器を制御する。
【００３２】
主制御装置１００の入力側には、図外のインターフェースを介して上述の第一検出センサー１００Ａ；１００Ｂ、第二検出センサー１０５、入賞検出センサー１０７、大当り検出センサー１１０Ａ乃至１１０Ｃ及び排出検出センサー１１５が接続される。また、主制御装置１００の出力側には、上述の各制御装置の他、開閉体５２を開閉動作させるソレノイド１２０、振り分け部６２を動作させるソレノイド１３０及び図外の複数のランプ等からなる表示器が接続される。なお、主制御装置１００には、この他、図外の電源供給装置や遊技店等に遊技情報を送信可能な外部通信装置が接続されている。
【００３３】
以下、上記パチンコ機１における基本的な制御について説明する。まず、遊技状態が大当り遊技ではない通常遊技である場合に球が遊技領域１１内に打ち出され、遊技領域１１内を流下する球が、第一始動部品３０又は第二始動部品３５に取り込まれ、対応する第一検出センサー１００Ａ；１００Ｂ及び第二検出センサー１０５によって検出されると、主制御装置１００は、各検出センサーからの入力に基づいてソレノイド１２０に対して駆動信号を出力し、開閉体５２を閉鎖状態から開放状態へと変位させた後、所定時間経過後に再び閉鎖状態へと変位させ、所定時間の間だけ球の入賞領域５０Ａへの進入を許容する。
開閉体５２の開放回数は、例えば球が第一始動部品３０に取り込まれた場合は１回、第二始動部品３５に取り込まれた場合は２回として予め設定されている。また、１回の開放時間は例えば０．５〜０．８秒程度に設定されている。なお、開放回数についてはこの他、第一検出センサー１００Ａ；１００Ｂ及び第二検出センサー１０５からの入力に基づいて取得される乱数によって決定する構成としてもよい。
また、主制御装置１００は、各検出センサーからの入力に基づいてソレノイド１３０に対して駆動信号を出力し、振り分け部材６２を構成する橋体６２Ａ；６２Ａを仮想線Ｌ１に示す位置に変位させた後、Ｌ２に示す位置に変位させ、再び元の水平方向の位置に変位させる。これにより、入賞領域５０Ａへの進入タイミングによって球が非特定領域８０Ａ又は誘導通路６３の方向に振り分けられる。
【００３４】
主制御装置１００は、上記ソレノイド１２０；１３０の制御と共に、第一検出センサー１００Ａ；１００Ｂ及び第二検出センサー１０５からの入力に基づいて演出制御装置２００に対して演出制御コマンドを送信する。演出制御コマンドを受信した演出制御装置２００は、演出制御コマンドの種別に応じてスピーカ２０やランプ群２２を駆動し、球が第一始動部品３０又は第二始動部品３５に取り込まれたことを報知する演出を実行する。
【００３５】
また、主制御装置１００は、第一検出センサー１００Ａ；１００Ｂ或いは第二検出センサー１０５からの入力に基づいて払出制御装置３００に対して払出しコマンドを送信する。払出しコマンドを受信した払出制御装置３００は、払出コマンドに含まれる賞球個数情報に基づいて図外の払出し機構を駆動し、対価としての賞球を遊技者に対して払い出す動作を実行する。なお、賞球個数は例えば３個又は５個として予め設定されている。
【００３６】
主制御装置１００は、通常遊技の実行中に開閉体５２が開放状態となり、球が入賞領域５０Ａ内に進入し、入賞検出センサー１０７によって検出されると、入賞検出センサー１０７からの入力に基づいて払出制御装置３００に対して払出しコマンドを送信する。当該払出しコマンドに含まれる賞球個数情報は、例えば１０個として予め設定されている。また、主制御装置１００は、入賞検出センサー１０７からの入力に基づいて図外のハードウェアとして設けられた計数カウンタの値を加算する。計数カウンタは、入賞領域５０Ａ内に球が残存しているか否かを検出するカウンタであって、入賞検出センサー１０７からの入力に基づいて加算された計数カウンタの値は、球が排出検出センサー１１５によって検出されたことに基づいて減算される。主制御装置１００が当該カウンタを備えることにより、入賞領域５０Ａ内に進入した球の管理を容易に行うことができる。例えば入賞検出センサー１０７の入力から所定時間経過後に排出検出センサー１１５からの入力が無い場合には、入賞領域５０Ａ内における球詰まりを検出することができる。また、入賞検出センサー１０７の入力がないにも関わらず、排出検出センサー１１５からの入力があった場合、球が不正な行為により入賞領域５０Ａ内の各領域に取り込まれたことを検出することができる。
【００３７】
入賞領域５０Ａ内に進入した球が、誘導通路６３によって下流側に誘導され、いずれかの特定領域６０Ａ乃至６０Ｃに取り込まれた場合、主制御装置１００は、大当り検出センサー１１０Ａ乃至１１０Ｃからの入力に基づいて大当り遊技を実行する。ここで、大当り遊技とは、開閉体５２を開放状態として、球が入賞領域５０Ａ内に進入する確率を通常遊技と比較して高くする遊技者にとって有利な遊技状態である。
【００３８】
具体的には、大当り遊技において主制御装置１００は、ソレノイド１２０を連続的に駆動して、開閉体５２が例えば１８回開放状態となるか、或いは、入賞領域５０Ａ内に進入し、入賞検出センサー１０７によって例えば１０個の球が検出されるかのうち、いずれか早い方の条件が成立までソレノイド１２０を駆動し、球が入賞領域５０Ａ内に容易に進入可能な状態を醸成する。また、当該１回のサイクル（ラウンド）の継続回数は、複数設けられた特定領域６０Ａ乃至６０Ｃの種別によって予め設定される。例えば、球が特定領域６０Ａに取り込まれ、大当り検出センサー１１０Ａの入力に基づいて開始される大当り遊技における最大ラウンド継続回数は、例えば１６ラウンドとして設定されており、球が特定領域６０Ｂに取り込まれた場合に大当り検出センサー１１０Ｂの入力に基づいて開始される大当り遊技における最大ラウンド継続回数が例えば５ラウンド、球が特定領域６０Ｃに取り込まれた場合に大当り検出センサー１１０Ｃの入力に基づいて開始される大当り遊技における最大ラウンド継続回数が例えば８ラウンドとしてそれぞれ設定される。つまり、本実施形態におけるパチンコ機１は、複数設けられた特定領域６０Ａ乃至６０Ｃの種別に応じて大当り遊技における最大ラウンド継続回数が異なる遊技機である。
なお、大当り遊技中において振り分け部６２を構成する一対の橋体６２Ａ；６２ＡはＬ１に示す位置で維持される。これにより、入賞検出センサー１０７によって検出された球は非特定領域８０Ａを経て速やかに入賞領域５０Ａから排出される。
【００３９】
上記大当り遊技が実行されることにより、遊技領域１１内に打ち出された球は、相対的に短い時間の間に入賞領域５０Ａ内に進入し、入賞検出センサー１０７によって検出されるため、遊技者は短時間のうちに多量の賞球を得ることが可能となる。なお、主制御装置１００は、大当り遊技中において演出制御装置２００に演出コマンドを送信し、演出制御装置２００を介して遊技者に対して大当り遊技中であることを報知し、遊技を盛り上げるような演出を実行する。上記大当り遊技が終了すると、主制御装置１００は、遊技状態を通常遊技へと変更し、再び通常遊技において実行される上述の制御を行う。
一方、入賞領域５０Ａ内に進入した球が、誘導通路６３によって下流側に誘導され、いずれの特定領域６０Ａ乃至６０Ｃにも取り込まれることなく非特定領域８０Ａ；８０Ｂに取り込まれた場合は、大当り遊技が開始されることはなく、取り込まれた球は外れ球として外部に排出される。
【００４０】
以下、図４乃至図６を参照して、入賞領域５０Ａを有する入賞装置５０の異なる実施形態について説明する。なお、各図において上述の実施形態と同様の構成については同一符号を用い、その説明を省略する。図４は、異なる実施形態に係る入賞装置５０を示す拡大正面図である。同図における入賞装置５０は、上述の実施形態における誘導通路６３が、遊技盤１０の盤面に打ち込まれた複数の釘によって形成された点で異なる。誘導通路６３を構成する各釘における遊技盤１０の盤面側の先端部は遊技盤１０内において終端しており、遊技盤１０の裏側に突出することはない。また、誘導通路６３を構成する複数の釘は、互いの間隔が球の直径よりも狭い間隔となるように打ち込まれており、誘導通路６３内の球が釘の間から排出されることはない。
【００４１】
誘導通路６３には、前述の実施形態と同様に、複数の流路Ｒ１乃至流路Ｒ４が形成される。
流路Ｒ１側に振り分けられた球は、下流側の端部から下方に排出される。流路Ｒ１から排出された球は、流路Ｒ１よりも下方に打ち込まれた釘群８５によって遊技盤１０の中央方向に誘導されながら流下する。釘群８５は、概ね遊技盤１０の外側から中央方向に向かって下傾するように配列された釘であって、流路Ｒ１より排出された球に特定領域６０Ｂへ取り込まれる機会を付与する。つまり、球が流路Ｒ１から排出された場合であっても、釘群８５を形成する釘の間から矢印で示す方向に通過しない限り、特定領域６０Ｂに取り込まれる可能性が残されている。なお、流路Ｒ２；Ｒ３の形態については前述の実施形態に係るものと同様であるので説明を省略する。
【００４２】
流路Ｒ４に振り分けられた球は、さらに分岐する流路の上流側に配設された誘導部材によって、いずれかの流路に振り分けられ、前述の実施形態とは異なる他方の流路に振り分けられた球が特定領域６０Ｃに取り込まれ、一方の流路に振り分けられた球が矢印で示す方向に排出される。
【００４３】
以上説明したとおり、本実施形態における誘導通路６３は、遊技盤１０の盤面に打ち込まれた複数の釘により構成されており、誘導通路６３をこのように構成しても、遊技盤１０の裏側に入賞領域５０Ａを形成するための部材が突出することはなく、遊技盤１０の裏側のスペースを確保することが可能となる。
【００４４】
また、図５に示すように、誘導通路６３の形態は、上述した２つの実施形態に限られるものではなく、合成樹脂よりなる板体６５Ａや複数の釘を採用し、多様、かつ、複雑な流路を形成した構成とすることも可能である。
例えば、誘導通路６３を図５に示すような複数の流路とすれば、入賞領域５０Ａ内に進入した球の動きが複雑なものとなり、球が大当り遊技を発生する契機となる特定領域６０Ａ乃至６０Ｃに取り込まれるまでの緊張感や期待感を効果的に向上させることが可能となる。本実施形態においても誘導通路６３を形成する各釘は遊技盤１０内において終端しており、遊技盤１０の裏側に釘が突出することはない。
【００４５】
次に図６を参照し、入賞装置５０の他の実施形態について説明する。
同図に示すように、入賞装置５０の誘導通路６３は、合成樹脂からなる複数の板体９０；９０と、板体９０；９０の内側に位置し、板体９０；９０と球の直径以上の間隔を持って楕円状に延在する板体９２と、板体９２の下方において遊技盤１０の左右方向に沿って弧状に延在する板体９４、及び、板体９４の下方において遊技盤１０の左右方向に沿って弧状に延在する板体９６とにより構成される。各板体９０乃至９６は、前述の実施形態と同様に遊技盤１０と接する先端面が接着剤や図外の固定手段により固定され、前方に突出する先端部が窓２Ａの表面と対向する。また、板体９４を除く板体９０、板体９２及び板体９６の前方に突出する先端部と窓２Ａとの間隔は球の直径よりも狭く板体９０、板体９２及び板体９６よりも前方側を球が通過することはない。
【００４６】
板体９０；９０は、遊技盤１０の中央から外側に向かって下傾する傾斜部９０Ａと、傾斜部９０Ａの外側端と接続し、垂直方向に延在する垂直部９０Ｂとを有する。また、板体９０；９０における傾斜部９０Ａの間には、上述した入賞検出部６０が設けられ、入賞領域５０Ａ内に進入した球が検出される。板体９２は、板体９０；９０の内側中央部において横長な楕円状であって、互いに対向する板体９０の傾斜部９０Ａ及び垂直部９０Ｂとの間で球が通過可能な流路Ｒ１；Ｒ２を形成する。また、板体９２の上部には、切欠きとして形成された取り付け部が設けられ、当該取り付け部を介して振り分け部材９１が配設される。振り分け部材９１は、遊技盤１０の側方に延在する板状体であって、遊技盤１０の裏側に配設された図外のモータやソレノイドの駆動により、矢印で示す方向にシーソー動作する遊技部品である。当該振り分け部材９１のシーソー動作により、入賞検出部６０によって検出された球は、流路Ｒ１又は流路Ｒ２いずれかの方向に振り分けられて下流側に誘導される。
【００４７】
板体９４は、板体９２の下部と球の直径以上の間隔をもって、遊技盤１０の左右方向に沿って下向きな弧状となるように配設される。また、板体９４の前方に突出する先端部と窓２Ａとの間隔は球の直径よりも広く、板体９４上を転動する球は、板体９４上に形成された複数の誘導路９４Ａ乃至９４Ｄを介して下方に位置する板体９６上に誘導される。
複数の誘導路９４Ａ乃至９４Ｄは、下方に窪み、かつ、後方から前方に向けて僅かに下傾する部位であって、勢いの弱まった球が当該誘導路９４Ａ乃至９４Ｄを介して下方に誘導される。
【００４８】
板体９４の最深部に対応する位置には、非特定領域８０Ａが設けられる。本実施形態における非特定領域８０Ａは、遊技盤１０に開設された排出口９７と、排出口９７の開口を閉塞又は開放する進退部材９８とにより構成される。排出口９７は、遊技盤１０の前方に開口し、板体９４の最深部に到達した球を前方から取り込む。進退部材９８は、遊技盤１０の裏側に配設された図外のソレノイドの動作により排出口９７内を前後方向に進退動作する部材である。進退部材９８の先端部が排出口９７の開口と面一な状態である場合において、球は排出口９７に進入することができない。一方、ソレノイドが駆動し、進退部材９８が後方に退避した状態においては、球は排出口９７内に進入可能となり、排出口９７から取り込まれた球は、遊技盤１０の裏側に配設された排出通路７０を経由して外部に排出される。進退部材９８を進退動作させるソレノイドは、主制御装置１００によって一定の周期又はランダムに駆動され、そのタイミングによって板体９４上を転動する球は、排出口９７から排出されるか、誘導路９４Ａ乃至９４Ｄを介して下方の板体９６に誘導される。
【００４９】
板体９４の下方に配設された板体９６は、遊技盤１０の左右方向に沿って下向きの弧状として延在する弧状部９６Ａと、弧状部９６Ａの両側部と接続し、垂直方向に延在する垂直部９６Ｂ；９６Ｂとを有する。弧状部９６Ａは、上方の板体９４から誘導された球を最深部に設けられた特定領域６０Ａに誘導する部材である。本実施形態における特定領域６０Ａは、弧状部９６Ａの中央最深部における底面と面一となるように設けられ、弧状部９６Ａ上に到達した球を取り込む。取り込まれた球は、前述の大当り検出センサー１１０Ａによって検出された後、排出通路７０を経て外部に排出される。
【００５０】
垂直部９６Ｂ；９６Ｂは、板体９０；９０の垂直部９０Ｂと球の直径以上の間隔をもって対向する部材であって、板体９４上に到達しなかった球を下方に位置する釘群４０Ｃ側に向けて流下させる排出路を形成する。流路Ｒ１；Ｒ２における板体９４と排出路とが分岐する位置には、風車等の振り分け部材が配設されており、流路Ｒ１；Ｒ２を流下する球が板体９４方向、又は、垂直部９０Ｂ；９６Ｂによって形成された排出路Ｒ３方向に振り分けられる。
【００５１】
排出路Ｒ３から排出された球は、釘群４０Ｃ：４０Ｃの間に設けられた非特定領域８０Ｂに取り込まれる。非特定領域８０Ｂは、遊技盤１０の外側から中央方向に向かって下傾する釘群４０Ｃ；４０Ｃの最深部に設けられる。また、非特定領域８０Ｂは、前述の実施形態と同様に、上方に位置する非特定領域８０Ａと鉛直線上に設けられており、非特定領域８０Ｂに取り込まれた球は、単一の排出通路７０を経て外部に排出される。
【００５２】
次に、本実施形態における大当り遊技に関し、上述の実施形態における大当り遊技と異なる点について概説する。入賞領域５０Ａ内に進入した球が板体９４に到達し、さらに複数の誘導路９４Ａ乃至９４Ｄを介して下方に位置する板体９６上に誘導され、板体９６に設けられた特定領域６０Ａに取り込まれると、主制御装置１００は、大当り検出センサー１１０Ａからの入力に基づき、大当り遊技を開始する。
【００５３】
具体的には、主制御装置１００は、大当り検出センサー１１０Ａからの入力に基づき図外の乱数カウンタから１つの乱数を取得し、当該乱数に対応する最大貯留継続回数を決定する。本実施形態における最大貯留継続回数は、例えば１６ラウンド、８ラウンド、５ラウンドの複数の最大貯留継続回数が設定されており、取得した乱数に対応する最大貯留継続回数が決定される。大当り遊技が開始されると、主制御装置１００は、ソレノイド１２０を連続して駆動し、開閉体５２が例えば１８回開放状態となるか、入賞検出センサー１０７によって１０個の球が検出されるかのうち、いずれか早い方の条件が成立するまで１ラウンドを継続する。また、主制御装置１００は、１ラウンド中に開閉体５２が１０回開放するまで非特定領域８０Ａを構成する進退部材９８を非作動状態に維持し、板体９４上に到達した球が排出口９７に取り込まれない状態とする。
【００５４】
球が排出口９７に取り込まれない状態が継続すると、仮想線で示すように板体９４上に誘導された後続の球は板体９４上において徐々に数珠繋ぎの状態となり、複数の誘導路９４Ａ乃至９４Ｄから下方の板体９６側に誘導され易くなり、１ラウンド中に特定領域６０Ａに取り込まれる可能性が高くなる。つまり、進退部材９８を非作動状態に維持することにより、球を板体９４上に貯留する貯留状態を醸成し、球が特定領域６０Ａに取り込まれる可能性を向上させる。また、当該貯留状態がいずれのラウンドまで継続するかは、前述の最大貯留継続回数に基づいて決定されており、例えば最大貯留継続回数が５回である場合、１ラウンド目から５ラウンド目までは、貯留状態が醸成されるが６ラウンド目以降のラウンドからは貯留状態で醸成されることはなく、進退部材９８が一定周期又はランダムに退避動作し、板体９４上の球が排出口９７に取り込まれる。
【００５５】
主制御装置１００は、１ラウンド終了時点においてラウンド中に球が特定領域６０Ａに取り込まれたこと、即ち大当り検出センサー１１０Ａからの入力があったことに基づいて次回のラウンドを継続して繰り返す。換言すれば、１ラウンド終了時点において球が特定領域６０Ａに取り込まれなかった場合、次回のラウンドは開始されず、大当り遊技は当該ラウンドで終了する。また、本実施形態において最大ラウンド継続回数は１６ラウンドとして設定されており、各ラウンド中に球が特定領域６０Ａに取り込まれ続ける限り、１６ラウンドまで継続する。
【００５６】
以上、各実施形態を通じて説明したとおり、本発明に係るパチンコ機１の入賞装置５０は、入賞領域５０Ａが遊技盤１０の盤面より前方に設けられており、入賞領域５０Ａを形成するための部材が遊技盤１０の裏側に突出しないため、遊技盤１０の裏側に入賞領域５０Ａの大きさに相当するスペースが必要なくなり、遊技盤１０裏側の部品配置を簡略化することができ、設計の自由度を確保し、かつ、不正行為が行われることを防止できる。
【００５７】
以上、本発明を実施の形態を用いて説明したが、本発明の技術的範囲は上記実施形態に限定されるものではない。上記実施形態に多様な変更、改良を加え得ることは当業者にとって明らかであり、そのような変更又は改良を加えた形態も本発明の技術的範囲に含まれ得ることは、特許請求の範囲の記載から明らかである。
【符号の説明】
【００５８】
１  パチンコ機、１０  遊技盤、１１  遊技領域、３０  第一始動部品、
３５  第二始動部品、４０Ａ  第一釘群、４０Ｂ  第二釘群、４０Ｃ  第三釘群、
５０  入賞装置、５０Ａ  入賞領域、５２  開閉体、５２Ａ  羽根部、５３  釘群、
６０  入賞検出部、６０Ａ〜６０Ｃ  特定領域、６２  振り分け部、６２Ａ  橋体、
６３  誘導通路、６５Ａ  板体、７０  排出通路、
８０Ａ；８０Ｂ  非特定領域（外れ領域）、１００  主制御装置、
１００Ａ，１００Ｂ  第一検出センサー、１０５  第二検出センサー、
１１０Ａ〜１１０Ｃ  大当り検出センサー、１１５  排出検出センサー、
Ｒ１〜Ｒ４  流路。
【図１】
2013059543.tif 000003
【図２】
2013059543.tif 000004
【図３】
2013059543.tif 000005
【図４】
2013059543.tif 000006
【図５】
2013059543.tif 000007
【図６】
2013059543.tif 000008